(57)【要約】【課題】互いに角度をなして横方向に隣接するサッシを方立を介して連結したビル用のサッシにおいて、方立の結露水を確実に受けて室外側に排水することのできる連窓サッシを提供する。【解決手段】縦枠１１は室内突出片１１ａとアングル片１１ｂとを備え、方立３の室内部２４は両側に各対向面部と平行な側部２５と、側部間に設けられ各側部と角度をなす中央面部２７を有し、方立３の室内側には下端部に排水誘導部品３０が設けられ、排水誘導部品３０は中央面部２７に沿い上面で結露水を受ける中央受け部３１と、中央受け部３１の両側から縦枠１１のアングル片１１ｂ及び室内突出片１１ａに沿って伸びて略Ｌ字状をなす誘導部３４とを有し、誘導部３４は中央受け部３１で受けた結露水を室内突出片１１ｂの室外側に導く傾斜面状の排水路３５を上面に有すると共に、先端部が室外側を向いてなる。【選択図】図３
2010106506.tif 000002
【特許請求の範囲】
【請求項１】
互いに角度をなして横方向に隣接するサッシを、方立を介して連結した連窓サッシにおいて、
前記サッシを構成し前記方立により連結される縦枠は、内周面室内側に見付方向内側に向かって突出する室内突出片と、該室内突出片の根元部から室内側に向かって伸びるアングル片とを備え、
前記方立は連結される前記縦枠と対向する２つの対向面部と、各対向面部を角度をなして連結し室内側に面する室内部とを有し、該室内部は両側に各対向面部と平行な側部を有すると共に、該側部間に設けられ各側部と角度をなす中央面部を有し、
前記方立の室内側には下端部に排水誘導部品が設けられ、該排水誘導部品は前記中央面部に沿い上面で結露水を受ける中央受け部と、該中央受け部の両側から前記縦枠のアングル片及び室内突出片に沿って伸びて略Ｌ字状をなす誘導部とを有し、該誘導部は前記中央受け部で受けた結露水を前記室内突出片の室外側に導く傾斜面状の排水路を上面に有すると共に、先端部が室外側を向いてなることを特徴とする連窓サッシ。
【請求項２】
互いに角度をなして横方向に隣接するサッシを、方立を介して連結した連窓サッシにおいて、
前記サッシを構成し前記方立により連結される縦枠は、内周面室内側に見付方向内側に向かって突出する室内突出片を備え、
前記方立は連結される前記縦枠と対向する２つの対向面部と、各対向面部を角度をなして連結し室内側に面する室内部とを有し、該室内部は両側に各対向面部と平行な側部を有すると共に、該側部間に設けられ各側部と角度をなす中央面部を有し、
前記方立の室内側には下端部に排水誘導部品が設けられ、該排水誘導部品は前記中央面部に沿い上面で結露水を受ける中央受け部と、該中央受け部の両側から前記方立の側部及び前記縦枠の室内突出片に沿って伸びて略Ｌ字状をなす誘導部とを有し、該誘導部は前記中央受け部で受けた結露水を前記室内突出片の室外側に導く傾斜面状の排水路を上面に有すると共に、先端部が室外側を向いてなることを特徴とする連窓サッシ。
【請求項３】
前記中央面部は前記側部の室内端よりも室外寄りに設けられて前記側部との間で凹部を形成し、前記中央受け部は前記凹部に沿う形状となる略台形状の上面を有してなることを特徴とする請求項１または２記載の連窓サッシ。
【請求項４】
前記中央受け部の室外面には下部が凹んだ段差部が形成され、前記誘導部の室外面にも段差部が形成されることを特徴とする請求項３記載の連窓サッシ。
【請求項５】
前記誘導部は両側部に壁部を有し、前記誘導部のうち前記縦枠のアングル片または方立の側部に沿って伸びる部分の排水路は、前記中央受け部の上面から下り傾斜状に形成されると共に、該排水路の長手方向端部で突き当たる前記壁部の位置まで斜面状に形成されることを特徴とする請求項１〜４のいずれか１項に記載の連窓サッシ。
【発明の詳細な説明】
【技術分野】
【０００１】
本発明は、２つのサッシを方立を介し横方向に角度をなして連設してなる連窓サッシに関し、特に連結部分の下端に結露水を室外側に誘導し排水する排水誘導部品を設けてなる連窓サッシに関する。
【背景技術】
【０００２】
隣り合う２つのサッシを、方立を介して連結してなる連窓サッシは、サッシを構成する縦枠同士がそれぞれ方立の対向面部に固定され、方立は対向面部間に室内側に露出する室内部を有して構成される。連窓サッシにおいて、方立を構成する室内部の表面に結露水が生じて下部に流れた場合、それを室外側に排水することができないために、室内側に浸入して室内を汚すことがあった。
【０００３】
方立に生じた結露水が室内側に浸入しないようにするため、方立の下端部に排水誘導部品を設けた連窓サッシが知られている。排水誘導部品は、方立室内部の室内面に沿う形状に形成されて、上面で結露水を受けると共に、受けた結露水を連結するサッシの下枠側に導く流路を有して構成される。このような排水誘導部品を備えた連窓サッシとしては、例えば特許文献１に挙げるようなものがある。
【特許文献１】特開平６−１８５２７０号公報
【発明の開示】
【発明が解決しようとする課題】
【０００４】
特許文献１に挙げる連窓サッシは、住宅用のサッシである。一方、サッシはビル用のものも存在する。ビル用のサッシは、住宅用のサッシに比べてより高い気密性能が求められるため、縦枠の内周面室内端部付近に室内突出片が設けられ、この室内突出片には障子に対して当接する気密材が設けられる。
【０００５】
従来の連窓サッシにおける排水誘導部品は、住宅用のサッシに用いられるものであって、ビル用のサッシに対応するものではなかった。ビル用のサッシは室内突出片を有しているため、従来の排水誘導部品では方立に生じた結露水を室外側に排水することはできなかった。また、２つのサッシを角度をなして連結する場合には、方立の室内側に露出する面が複雑な形状となる。このような２つのサッシを角度をなして連結してなるビル用の連窓サッシにおいて、方立の結露水を確実に受けて室外側に排水することが求められていた。
【０００６】
本発明は前記課題を鑑みてなされたものであり、互いに角度をなして横方向に隣接するサッシを方立を介して連結したビル用のサッシにおいて、方立の結露水を確実に受けて室外側に排水することのできる連窓サッシを提供することを目的とする。
【課題を解決するための手段】
【０００７】
前記課題を解決するため、本発明に係る連窓サッシは、互いに角度をなして横方向に隣接するサッシを、方立を介して連結した連窓サッシにおいて、
前記サッシを構成し前記方立により連結される縦枠は、内周面室内側に見付方向内側に向かって突出する室内突出片と、該室内突出片の根元部から室内側に向かって伸びるアングル片とを備え、
前記方立は連結される前記縦枠と対向する２つの対向面部と、各対向面部を角度をなして連結し室内側に面する室内部とを有し、該室内部は両側に各対向面部と平行な側部を有すると共に、該側部間に設けられ各側部と角度をなす中央面部を有し、
前記方立の室内側には下端部に排水誘導部品が設けられ、該排水誘導部品は前記中央面部に沿い上面で結露水を受ける中央受け部と、該中央受け部の両側から前記縦枠のアングル片及び室内突出片に沿って伸びて略Ｌ字状をなす誘導部とを有し、該誘導部は前記中央受け部で受けた結露水を前記室内突出片の室外側に導く傾斜面状の排水路を上面に有すると共に、先端部が室外側を向いてなることを特徴として構成されている。
【０００８】
また、本発明に係る連窓サッシは、互いに角度をなして横方向に隣接するサッシを、方立を介して連結した連窓サッシにおいて、
前記サッシを構成し前記方立により連結される縦枠は、内周面室内側に見付方向内側に向かって突出する室内突出片を備え、
前記方立は連結される前記縦枠と対向する２つの対向面部と、各対向面部を角度をなして連結し室内側に面する室内部とを有し、該室内部は両側に各対向面部と平行な側部を有すると共に、該側部間に設けられ各側部と角度をなす中央面部を有し、
前記方立の室内側には下端部に排水誘導部品が設けられ、該排水誘導部品は前記中央面部に沿い上面で結露水を受ける中央受け部と、該中央受け部の両側から前記方立の側部及び前記縦枠の室内突出片に沿って伸びて略Ｌ字状をなす誘導部とを有し、該誘導部は前記中央受け部で受けた結露水を前記室内突出片の室外側に導く傾斜面状の排水路を上面に有すると共に、先端部が室外側を向いてなることを特徴として構成されている。
【０００９】
さらに、本発明に係る連窓サッシは、前記中央面部は前記側部の室内端よりも室外寄りに設けられて前記側部との間で凹部を形成し、前記中央受け部は前記凹部に沿う形状となる略台形状の上面を有してなることを特徴として構成されている。
【００１０】
さらにまた、本発明に係る連窓サッシは、前記中央受け部の室外面には下部が凹んだ段差部が形成され、前記誘導部の室外面にも段差部が形成されることを特徴として構成されている。
【００１１】
そして、本発明に係る連窓サッシは、前記誘導部は両側部に壁部を有し、前記誘導部のうち前記縦枠のアングル片または方立の側部に沿って伸びる部分の排水路は、前記中央受け部の上面から下り傾斜状に形成されると共に、該排水路の長手方向端部で突き当たる前記壁部の位置まで斜面状に形成されることを特徴として構成されている。
【発明の効果】
【００１２】
本発明に係る連窓サッシによれば、方立の室内側には下端部に排水誘導部品が設けられ、排水誘導部品は中央面部に沿い上面で結露水を受ける中央受け部と、中央受け部の両側から縦枠のアングル片及び室内突出片に沿って伸びて略Ｌ字状をなす誘導部とを有し、誘導部は中央受け部で受けた結露水を室内突出片の室外側に導く傾斜面状の排水路を上面に有すると共に、先端部が室外側を向いてなることにより、室内突出片を有したビル用のサッシにおいて方立の結露水を確実に受けて室外側に排水することができる。
【００１３】
また、本発明に係る連窓サッシによれば、方立の室内側には下端部に排水誘導部品が設けられ、排水誘導部品は中央面部に沿い上面で結露水を受ける中央受け部と、中央受け部の両側から方立の側部及び縦枠の室内突出片に沿って伸びて略Ｌ字状をなす誘導部とを有し、誘導部は中央受け部で受けた結露水を室内突出片の室外側に導く傾斜面状の排水路を上面に有すると共に、先端部が室外側を向いてなることにより、縦枠にアングル片を有しない場合でも、室内突出片を有したビル用のサッシにおいて方立の結露水を確実に受けて室外側に排水することができる。
【００１４】
さらに、本発明に係る連窓サッシによれば、中央面部は側部の室内端よりも室外寄りに設けられて側部との間で凹部を形成し、中央受け部は凹部に沿う形状となる略台形状の上面を有してなることにより、方立の室内側に露出する中央面部を含む凹部に生じる結露水を、確実に受けることができる。
【００１５】
さらにまた、本発明に係る連窓サッシによれば、中央受け部の室外面には下部が凹んだ段差部が形成され、誘導部の室外面にも段差部が形成されることにより、接着材を充てんする空間を形成することができ、排水誘導部品と方立あるいは縦枠の間の隙間を小さくすることができるので、より確実に結露水を排水誘導部品で受けることができる。
【００１６】
そして、本発明に係る連窓サッシによれば、誘導部は両側部に壁部を有し、誘導部のうち縦枠のアングル片または方立の側部に沿って伸びる部分の排水路は、中央受け部の上面から下り傾斜状に形成されると共に、排水路の長手方向端部で突き当たる壁部の位置まで斜面状に形成されることにより、排水路の折れ曲がる部分に平坦な部分が形成されることがなく、結露水が排水路に滞留することを防止することができる。
【発明を実施するための最良の形態】
【００１７】
本発明の実施形態について図面に沿って詳細に説明する。図１には、第１の実施形態における連窓サッシの横断面図を示している。本実施形態において連窓サッシは、第１サッシ１と第２サッシ２とを方立３を介して横方向に連結してなり、かつ第１サッシ１と第２サッシ２は互いに９０°の角度をなして連結されている。
【００１８】
第１サッシ１と第２サッシ２は、いずれも方形状の枠体１０内に内障子１２及び外障子１３が引き違い状に走行自在となるように納めた引き違いサッシとして構成されている。そして、第１サッシ１と第２サッシ２の枠体１０を構成する各縦枠１１が、方立３に固定されることで両者が連結されている。
【００１９】
図２には、連窓サッシのうち方立３付近の拡大横断面図を示している。この図に示すように、方立３は断面中空状の略方形状に形成されてなる方立本体２０と、方立本体２０の室内側に連結固定される室内側部材２１とからなっている。方立本体２０には、第１サッシ１の縦枠１１外周面と対向する対向面部２２と、第２サッシ２の縦枠１１外周面と対向する対向面部２２とが、９０°の角度をなして配置されている。対向面部２２の室外側端部は、略富士山形状をなす室外面部２３により連結されており、また対向面部２２の室内側端部は、室内側に面する室内部２４により連結されている。
【００２０】
方立３の室内部２４は、方立本体２０の室内側を向いた面と、この面に対して連結される室内側部材２１により構成されている。室内部２４を構成する室内側部材２１は、対向面部２２と平行な左右の側部２５と、側部２５間に取付けられる室内側カバー体２６を有しており、室内側カバー体２６は室内側に面して露出する中央面部２７を有している。
【００２１】
連結される縦枠１１には、内周面の室内側に見付方向内側に向かって突出する室内突出片１１ａが形成され、また室内突出片１１ａの根元部から室内側に向かって伸びるアングル片１１ｂが形成されている。アングル片１１ｂは、縦枠１１の内周面が室内側にそのまま延長されるように形成されていて、方立３の対向面部２２と平行となる。また、アングル片１１ｂは方立３の室内部２４を構成する側部２５に近接対向し、ネジ止めにより側部２５と固定がなされる。
【００２２】
縦枠１１の室内突出片１１ａは、障子を閉じた状態で内障子１２が配置される側となる第１サッシ１では、室外面に気密材１４が保持される。気密材１４は、内障子１２の室内面に当接して、内障子１２と縦枠１１の間の気密性を確保する。第２サッシ２では、方立３側には外障子１３が配置されるため、縦枠１１の内周面のうち室内外方向中間位置形成される突片１１ｃに気密材１４を保持させて、これを外障子１３の室内面に当接させるようにしている。また、方立３を中心に左右対称な意匠性を持たせるため、第２サッシ２の縦枠１１にも、室内突出片１１ａが形成されている。
【００２３】
図３には、方立３による連結部分における枠体１０及び方立３の下端部付近の斜視図を示している。アングル片１１ｂの先端部は、方立３の室内部２４側に折れ曲がってＬ字状をなしており、方立３の側部２５の先端部に当接している。また、側部２５間に取付けられる室内側カバー体２６は、側部２５の室内端である先端部よりも室外寄りに引っ込むように取付けられており、アングル片１１ｂと側部２５及び室内側カバー体２６により凹部２８が形成される。方立３による連結部分において室内側に露出するのは、縦枠１１の室内突出片１１ａとアングル片１１ｂ及び凹部２８を構成する各面となる。
【００２４】
方立３の室内側には、下端部に排水誘導部品３０が設けられる。排水誘導部品３０は、方立３及び縦枠１１の室内側に露出する部分に生じた結露水を受けると共に、結露水を縦枠１１の室内突出片１１ａより室外側に排水するものであり、樹脂材の成型品として形成されている。
【００２５】
図３に示すように、排水誘導部品３０は、方立３の室内部に略沿うように形成されており、上面が縦枠１１の室内突出片１１ａとアングル片１１ｂ及び凹部２８の各面にそれぞれ隣接している。このため、排水誘導部品３０は上面でこれらの面に生じた結露水を受けることができる。
【００２６】
排水誘導部品３０は、方立３の中央面部２７に沿うように形成された中央受け部３１を左右方向中央部分に有し、また中央受け部３１の両側から縦枠１１のアングル片１１ｂ及び室内突出片１１に沿うように伸びる誘導部３４を有して構成されている。図２、図３に示すように、中央受け部３１は凹部２８に略適合した形状を有しており、上面が略台形状をなすようにされている。誘導部３４は、縦枠１１のアングル片１１ｂ及び室内突出片１１ａに沿うことで略Ｌ字状をなすように形成されており、その上面は中央受け部３１側から先端側に向かって下り傾斜状の排水路３５とされている。誘導部３４の先端部は、縦枠１１の室内突出片１１ａの先端より先で折れ曲がって、各サッシの室外側を向くように形成されている。
【００２７】
中央受け部３１の上面３２は、中央部から誘導部３４側に向かって若干下る傾斜面として形成されており、結露水が誘導部３４に流れやすいようにしている。また、中央受け部３１の周囲部には、誘導部３４に連続する部分を除く領域に壁部３３が形成されて、上面３２で受けた結露水を誘導部３４のみに導くようにしている。誘導部３４の排水路３５にも、長手方向に沿って両側に壁部３６が形成されている。
【００２８】
このように、互いに角度をなして連結されたサッシの連結部分において、方立３の室内側に形成される凹部２８に適合する略台形状の中央受け部３１を備え、中央受け部３１からはアングル片１１ｂ及び室内突出片１１ａに沿うように略Ｌ字状をなす誘導部３４が両側から伸び、誘導部３４の先端部は室内突出片１１ａの先端より先で室外側を向くように形成されていることで、方立３の室内面や縦枠１１の室内露出面に生じる結露水を、室内突出片１１ａよりも室外側に排水することができる。
【００２９】
図４には、排水誘導部品３０の側面図を示している。この図は、排水誘導部品３０を第１サッシ１側から見た側面図を表している。図４に示すように、誘導部３４のうちアングル片１１ｂに沿う部分は、排水路３５が中央受け部３１の上面３２から下り傾斜状に形成されると共に、排水路３５の長手方向端部３５ａで突き当たる壁部３６の位置まで、斜面状となるように形成されている。また、誘導部３４のうち室内突出片１１ａに沿う部分は、アングル片１１ｂに沿う部分の排水路３５からさらに下り傾斜状となるように形成されている。
【００３０】
排水誘導部品３０の誘導部３４は、このように構成されているので、Ｌ字状に折れ曲がった角部において、踊場のような平坦な部分を有していない。したがって、結露水が排水路に滞留することがなく、確実に室外側に排水することができる。
【００３１】
図５には、図３に示すＡ−Ａ断面における排水誘導部品３０の断面図を示している。この図に示すように、排水誘導部品３０の略台形状に形成された中央受け部３１における、誘導部３４側の斜面部３１ｂには、下部が凹むような段差部３１ｃが形成されている。この段差部は、中央受け部３１の上底面３１ａには、形成されていない。また、誘導部３４には、室外面側に段差部が斜面部３１ｂと同様に形成される。
【００３２】
中央受け部３１の段差部３１ｃと誘導部３４の段差部（図示しない）には、接着材が充填される。排水誘導部品３０の中央受け部３１のうち上底面３１ａには、段差部は形成されていないが、図２に示すように上底面３１ａと方立３の中央面部２７の間には、若干の隙間があって、この隙間に接着剤を充填することができる。これらの接着により、排水誘導部品３０と方立３及び縦枠１１とを接着固定する。
【００３３】
次に、本発明の第２の実施形態について説明する。本実施形態の連窓サッシは、第１の実施形態の連窓サッシの構成と多くは共通しているため、共通点については説明を省略する。図６には、第２の実施形態における連窓サッシのうち方立３付近の拡大横断面図を示している。この図に示すように、本実施形態の連窓サッシは、第１サッシ１と第２サッシ２を１３５°の角度をなすように方立３により連結して構成されている。このため、方立３の形状が第１の実施形態とは異なっている。
【００３４】
方立３は、第１の実施形態と同様、方立本体２０と室内側部材２１及び室内側カバー体２６からなり、室内部２４を構成する側部２５を覆うように縦枠１１のアングル片１１ｂが室内側に伸びている。また、室内側カバー体２６は側部２５の室内端より室外寄りに設けられて凹部２８を形成している。
【００３５】
このような方立３によるサッシの連結部分に対し、下端部には排水誘導部品３０が設けられる。排水誘導部品３０は、方立３の形状に合わせて第１の実施形態における排水誘導部品３０とは形状が異なるが、その構成は同様であり、中央受け部３１と左右に伸びる誘導部３４を有している。
【００３６】
排水誘導部品３０の中央受け部３１は、方立３の室内部２４に形成される凹部２８に沿う略台形状に形成されている。本実施形態において凹部２８は、第１の実施形態よりも深く形成されているため、台形の高さ方向の長さがより大きく形成されている。左右の誘導部３４は、サッシの連結角度に合わせて互いに１３５°の角度をなして中央受け部３１と一体化されている。また、誘導部３４は縦枠１１のアングル片１１ｂ及び室内突出片１１ａに沿う略Ｌ字状をなすように形成され、さらにその先端部は室内突出片１１ａの先端より先で室外側を向くように形成されている。
【００３７】
次に、本発明の第３の実施形態について説明する。本実施形態の連窓サッシも、第１の実施形態の連窓サッシの構成と多くは共通しているため、共通点については説明を省略する。図７には、第３の実施形態における連窓サッシのうち方立３付近の拡大横断面図を示している。この図に示すように、本実施形態の連窓サッシは、第１サッシ１と第２サッシ２を９０°の角度をなすように方立３により連結して構成されている。一方、本実施形態のサッシは、縦枠１１にアングル片を有していない。
【００３８】
方立３は、室外側の方立本体２０については第１の実施形態と同じ形状を有している。一方、方立本体２０の室内側に設けられる室内側部材２１の形状が第１の実施形態とは異なっている。方立３を方立本体２０と室内側部材２１の二部材により構成していることにより、縦枠１１がアングル片を有している場合と有していない場合の両方について、方立本体２０を共用化することができる。
【００３９】
本実施形態では、縦枠１１にアングル片が形成されていないため、室内側部材２１により構成される側部２５が、左右により張り出した形状を有している。また、中央面部２７を構成する室内側カバー体２６の形状も、より左右方向に大きく形成され、方立３の室内面に形成される凹部２８は、第１の実施形態よりも浅く形成されている。
【００４０】
方立３によるサッシの連結部分の下端部には、排水誘導部品３０が設けられる。排水誘導部品３０は、凹部２８の形状に適合する略台形状の中央受け部３１と、その左右から伸びる誘導部３４からなり、誘導部３４は方立３の室内部２４を構成する側部２５と縦枠１１の室内突出片１１ａに沿う略Ｌ字状をなすように形成されている。また、誘導部３４の先端部は室内突出片１１ａの先端より先で室外側を向くように形成されている。
【００４１】
このように、縦枠１１にアングル片が形成されていない場合には、それに応じた方立３の室内側部材２１が用いられ、排水誘導部品３０は方立３及び室内突出片１１ａに沿う形状を有するように形成される。
【００４２】
次に、本発明の第４の実施形態について説明する。本実施形態の連窓サッシも、第１の実施形態の連窓サッシの構成と多くは共通しているため、共通点については説明を省略する。図８には、第４の実施形態における連窓サッシのうち方立３付近の拡大横断面図を示している。この図に示すように、本実施形態の連窓サッシは、第１サッシ１と第２サッシ２を１３５°の角度をなすように方立３により連結して構成され、また第３の実施形態と同様に縦枠１１にアングル片を有していない。
【００４３】
方立３は、方立本体２０は第２の実施形態と同じ形状を有し、室内側部材２１は第２の実施形態とは異なる形状を有している。方立３の室内面に形成される凹部２８は、第３の実施形態よりは深く形成されている。
【００４４】
方立３によるサッシの連結部分の下端部には、排水誘導部品３０が設けられる。排水誘導部品３０は、凹部２８の形状に適合する略台形状の中央受け部３１と、その左右から伸びる誘導部３４からなり、誘導部３４は方立３の室内部２４を構成する側部２５と縦枠１１の室内突出片１１ａに沿う略Ｌ字状をなすように形成されている。また、誘導部３４の先端部は室内突出片１１ａの先端より先で室外側を向くように形成されている。
【００４５】
このように、縦枠１１にアングル片を有しないサッシを１３５°の角度をなして連結する場合においても、方立３及び室内突出片１１ａに沿う形状を有した排水誘導部品３０を設けて方立３の室内面に生じる結露水を室外側に排水することができる。
【００４６】
以上、本発明の実施形態について説明したが、本発明の適用は本実施形態には限られず、その技術的思想の範囲内において様々に適用されうるものである。
【図面の簡単な説明】
【００４７】
【図１】第１の実施形態における連窓サッシの横断面図である。
【図２】連窓サッシのうち方立付近の拡大横断面図である。
【図３】方立による連結部分における枠体及び方立の下端部付近の斜視図である。
【図４】排水誘導部品の側面図である。
【図５】図３に示すＡ−Ａ断面における排水誘導部品の断面図である。
【図６】第２の実施形態における連窓サッシのうち方立付近の拡大横断面図である。
【図７】第３の実施形態における連窓サッシのうち方立付近の拡大横断面図である。
【図８】第４の実施形態における連窓サッシのうち方立付近の拡大横断面図である。
【符号の説明】
【００４８】
１    第１サッシ
２    第２サッシ
３    方立
１０    枠体
１１    縦枠
１１ａ  室内突出片
１１ｂ  アングル片
１２    内障子
１３    外障子
１４    気密材
２０    方立本体
２１    室内側部材
２２    対向面部
２３    室外面部
２４    室内部
２５    側部
２６    室内側カバー体
２７    中央面部
２８    凹部
３０    排水誘導部品
３１    中央受け部
３２    上面
３３    壁部
３４    誘導部
３５    排水路
３６    壁部
【図１】
2010106506.tif 000003
【図２】
2010106506.tif 000004
【図３】
2010106506.tif 000005
【図４】
2010106506.tif 000006
【図５】
2010106506.tif 000007
【図６】
2010106506.tif 000008
【図７】
2010106506.tif 000009
【図８】
2010106506.tif 000010